(57)【特許請求の範囲】
【請求項１】
畝底面を形成する下端辺と畝側面を形成する傾斜側端辺とを備えた左右の分割成形板を、それぞれの傾斜側端辺が外向きとなって互いに近接して左右方向に配置する逆台形形状の外盛り仕様と、左右の分割成形板を、それぞれの傾斜側端辺が内向きとなって間隔をもって左右方向に配置する内盛り仕様とに切換え可能に構成し、
左右の前記分割成形板の上端部を、歩行型管理機における耕起ロータを覆う走行機体の左右のフェンダの後端部に連結可能に構成し、
前記外盛り仕様及び前記内盛り仕様において前記左右の分割成形板は前記走行機体の走行方向を横断する横断面に沿って延びる板形状に構成してあることを特徴とする培土器。
【請求項２】
左右の前記分割成形板を、支持枠にゴム板を取り付けて構成してある請求項１記載の培土器。
【請求項３】
前記支持枠は、上端辺を形成する上側の支持枠と、前記下端辺を形成する下側の支持枠と、前記上側の支持枠と前記下側の支持枠とに亘って連結された縦支持枠とから構成されている請求項２記載の培土器。
【請求項４】
前記支持枠は、金属製である請求項３記載の培土器。
【発明の詳細な説明】
【技術分野】
【０００１】
本発明は、歩行型管理機に装着して畝立て作業に利用する培土器に関する。
【背景技術】
【０００２】
歩行型管理機に装着する培土器としては、走行機体の後部ヒッチに連結して使用するよう構成したものが知られている（例えば、特許文献１参照）。
【特許文献１】特開２００３−５２２０２号公報
【発明の開示】
【発明が解決しようとする課題】
【０００３】
畝を成形する形態としては、耕起された土を培土器によって左右に押し分け押圧して機体通過跡に畝底を形成してゆく外盛り仕様と、耕起された土を培土器によって左右中央に盛り上げて機体通過跡に畝を形成してゆく内盛り仕様とがあり、各仕様に応じた培土器を使い分けるようにしていた。このため、ユーザーは外盛り仕様と内盛り仕様の培土器をそれぞれ用意する必要があり、経済的負担がかかるとともに、使用しない培土器を管理する手間の生じるものであった。
【０００４】
本発明は、このような点に着目してなされたものであって、一種類の培土器で外盛り仕様、あるいは、内盛り仕様の畝立てを任意に行うことができるようにして、ユーザーにかかる経済的負担を少なくし、機器の管理も容易なものにすることを目的としている。
【課題を解決するための手段】
【０００５】
本発明は培土器において、畝底面を形成する下端辺と畝側面を形成する傾斜側端辺とを備えた左右の分割成形板を、それぞれの傾斜側端辺が外向きとなって互いに近接して左右方向に配置する逆台形形状の外盛り仕様と、左右の分割成形板を、それぞれの傾斜側端辺が内向きとなって間隔をもって左右方向に配置する内盛り仕様とに切換え可能に構成し、左右の前記分割成形板の上端部を、歩行型管理機における耕起ロータを覆う走行機体の左右のフェンダの後端部に連結可能に構成し、前記外盛り仕様及び前記内盛り仕様において前記左右の分割成形板は前記走行機体の走行方向を横断する横断面に沿って延びる板形状に構成してあることを特徴とする。
【０００６】
上記構成によると、例えば図４に示すように、左右の分割成形板２１（培土器２０）の傾斜側端辺ｂが外向きとなるように、左右の分割成形板２１（培土器２０）を互いに近接して左右方向に配置することにより、外盛り仕様の培土器２０（左右の分割成形板２１）を得ることができる。これにより、例えば図４に示すように、培土器２０（左右の分割成形板２１）の進行に伴って土が左右に押し分けられ、左右の分割成形板２１（培土器２０）の傾斜側端辺ｂにより左右の畝の畝側面が成形される。
【０００７】
例えば図６に示すように、左右の分割成形板２１（培土器２０）の傾斜側端辺ｂが内向きとなるように、左右の分割成形板２１（培土器２０）を間隔をもって左右方向に配置することにより、内盛り仕様の培土器２０（左右の分割成形板２１）を得ることができる。これにより、例えば図６に示すように、培土器２０（左右の分割成形板２１）の進行に伴って土が中央に盛り上げられ、左右の分割成形板２１（培土器２０）の傾斜側端辺ｂにより中央の畝の左右の畝側面が成形される。
【０００８】
従って、第１の発明によると、一種類の培土器で外盛り仕様、あるいは、内盛り仕様の畝立てを任意に行うことができ、ユーザーにかかる経済的負担が少なくなるとともに、機器の管理も容易となる。
【０００９】
さらに、本発明の培土器は、左右の前記分割成形板の上端部を、歩行型管理機における左右のフェンダの後端部に連結可能に構成されている。
【００１０】
上記構成によると、専用の培土器の取り付け部を走行機体に備えることなく、フェンダの横幅を利用して左右の分割成形板を所定の姿勢に確実強固に支持することができる。
【００１１】
さらに、左右の分割成形板を、支持枠にゴム板を取り付けて構成することができる。また、前記支持枠は、上端辺を形成する上側の支持枠と、前記下端辺を形成する下側の支持枠と、前記上側の支持枠と前記下側の支持枠とに亘って連結された縦支持枠とから構成し、その際、前記支持枠を金属製とすることが好適である。
【００１２】
上記構成によると、土が付着しにくいゴム板で土を押圧して、滑らか表面をもった仕上がりの良い畝を成形することができる。
【発明を実施するための最良の形態】
【００１３】
図１に、歩行型管理機の全体側面が、図２に、その平面がそれぞれ示されている。この歩行型管理機の走行機体１は、エンジン２を上端に直結した伝動ケース３から後方に操縦ハンドル４を延出するとともに、伝動ケース３の下部左右に回転軸５を横架支承し、伝動ケース３の上部左右に板金構造のフェンダ６を張り出し配備して構成されている。
【００１４】
エンジン２は、縦軸型の空冷式ガソリンエンジンが使用されており、エンジン２の上部に備えたリコイルスタータ７を用いて手動でエンジン始動を行うよう構成されている。前記リコイルスタータ７から後方にリコイルロープ８が導出されるとともに、リコイルロープ８の後端に備えた引き手８ａが、操縦ハンドル４に備えられたロープフック９に挿通支持されている。
【００１５】
操縦ハンドル４は、丸パイプ材からなるハンドル基部４ａと、その後端に横向きの支点ｐ周りに回動可能に枢支連結された左右二股状の操作ハンドル部４ｂとから構成されている。支点ｐに備えたノブ付きボルト１０を緩めて操作ハンドル部４ｂを上下に回動し、任意の回動位置でノブ付きボルト１０を締め込むことで、操作ハンドル部４ｂの高さを調節することができるとともに、操作ハンドル部４ｂを前方に大きく回動することで、エンジン２の上方にまで格納可能となっている。
【００１６】
前記伝動ケース３の後部には板金構造の後部ヒッチ１２が備えられており、この後部ヒッチ１２の前後中間位置に操縦ハンドル４のハンドル基部４ａが挿通されて、その前端部が伝動ケース３に連結されることで、ハンドル基部４ａが所定の後上がり傾斜姿勢で強固に連結固定されている。
【００１７】
前記後部ヒッチ１２の後端には縦向きのボス部１２ａが備えられており、このボス部１２ａに丸棒材をくの字形に屈曲した抵抗棒１３が挿通されて貫通ピン１４で位置固定されている。抵抗棒１３には上下複数のピン挿通孔１５が形成されており、このピン挿通孔１５を選択して貫通ピン１４を挿通することで、抵抗棒１３の高さを複数段階に調節することが可能となっている。
【００１８】
図１は、前進走行によって走行機体１の通過跡に畝を形成してゆく畝立て形態に構成された歩行型管理機が示されており、伝動ケース３の下部に支承された左右の回転軸５に耕起ロータ１６がそれぞれ装着され、耕起ロータ１６をダウンカット方向（図１及び図３の矢印参照）に高速で回転駆動して耕起しながら耕起ロータ１６の回転によって前進し、走行機体１の後部において圃場に突入された抵抗棒１３による前進抵抗を加減することで、所望の速度で前進しながら耕起を行うようになっている。
【００１９】
耕起ロータ１６は、爪軸１７に複数種の耕起爪１８を固定して構成されており、外盛り仕様で畝立てを行う場合には、耕起した土を左右に跳ね上げるように耕起爪１８が所定の配列に配置されたものが使用される。内盛り仕様で畝立てを行う場合には、耕起した土を左右中央に跳ね上げるように耕起爪１８が所定の配列に配置されたものが使用される。
【００２０】
走行機体１に備えられたフェンダ６の後端部に培土器２０が連結されている。この培土器２０には、畝底を成形する下端辺ａと畝側面を形成する左右の傾斜側端辺ｂを備えた左右の分割成形板２１で構成されている。台形状のゴム板２３の上端辺に金属製の支持枠２２がボルト締め連結されて、ゴム板２３の下端辺ａに金属製の支持枠２５がボルト締め連結され、金属製の支持枠２６が支持枠２２，２５に亘って連結されて、左右の分割成形板２１が構成されている。
【００２１】
図４は、外盛り仕様で畝立てを行う場合が示されており、左右の分割成形板２１は、その傾斜側端辺ｂがそれぞれ外向きになるように左右から突き合わせ配置され、支持枠２２の上部を介してフェンダ６の後端部に連結されて、左右の分割成形板２１の間に抵抗棒１３が入り込んでいる。左右の分割成形板２１の下部（支持枠２５）が連結ステー２４で繋がれて、全体として逆台形の１枚の培土器２０（左右の分割成形板２１）として機能するよう構成されている。
【００２２】
上記構成によると、耕起ロータ１６をダウンカット方向に高速で回転駆動して耕起しながら耕起ロータ１６の回転によって前進し、圃場に突入された抵抗棒１３による前進抵抗を加減することで所望の速度で前進しながら耕起および左右への土上げを行う。
これにより、耕起されて柔らかくなった土を培土器２０（左右の分割成形板２１）で押圧移動させ、左右の分割成形板２１（培土器２０）の下端辺ａで中央の畝底を押圧成形するとともに、左右の分割成形板２１（培土器２０）の傾斜側端辺ｂで左右の畝の畝側面を押圧成形する。
【００２３】
培土器２０は畝を成形する押圧反力によって後方へ変形されようとするが、左右の分割成形板２１の下部（支持枠２５）をつなぐ連結ステー２４が抵抗棒１３で受け止められて、培土器２０は前倒れ傾斜した所定の成形作用姿勢に維持される。
【００２４】
図６は、内盛り仕様で畝立てを行う場合が示されている。この場合、左右の分割成形板２１は左右に入れ替えられて、その傾斜側端辺ｂがそれぞれ内向きに対向するよう間隔をもって離れて配置され、支持枠２２の上部を介してフェンダ６の後端部に連結される（連結ステー２４は使用しない）。
これにより、図６に示すように、耕起されて柔らかくなった土を培土器２０（左右の分割成形板２１）で押圧移動させ、左右の分割成形板２１（培土器２０）の下端辺ａで左右
の畝底を押圧成形するとともに、左右の分割成形板２１（培土器２０）の傾斜側端辺ｂで
中央の畝の左右の畝側面を押圧成形する。
【００２５】
〔他の実施例〕
（１）図７に示すように、培土器２０を使用しない場合には、左右の分割成形板２１を左右のフェンダ６の外端部に連結して延長フェンダとして利用することができる。
（２）左右の分割成形板２１を金属板材で構成することもできる。
【図面の簡単な説明】
【００２６】
【図１】歩行型管理機の全体側面図
【図２】歩行型管理機の全体平面図
【図３】折り畳み格納状態の側面図
【図４】外盛り仕様に構成された培土器の背面図
【図５】培土器の縦断側面図
【図６】内盛り仕様に構成された培土器の背面図
【図７】使用しない培土器を格納した状態の平面図
【符号の説明】
【００２７】
１              走行機体
６              フェンダ
２１            分割成形板
２２            支持枠
２３            ゴム板
ａ              下端辺
ｂ              傾斜側端辺
【図１】
0004909295.tif 000002
【図２】
0004909295.tif 000003
【図３】
0004909295.tif 000004
【図４】
0004909295.tif 000005
【図５】
0004909295.tif 000006
【図６】
0004909295.tif 000007
【図７】
0004909295.tif 000008